(57)【特許請求の範囲】
【請求項１】
目地を介して隣接する建造物の、その何れか一方の建造物の目地側傍に水平受面を設け、
他方の建造物に、前記水平受面より上位置で目地方向に所定間隔で並設され、
その前端に係合縁を備えた複数の支持杆を突成し、
支承面を備え、かつその前端に前記係合縁と係合可能な連係縁を備えてなる可動支持体を、前記水平受面と支持杆とに支持させて目地幅方向に摺動可能に設けるとともに、
前端が前記可動支持体の支承面に摺動可能に乗載されて前記目地を覆う左右のカバー体を目地幅方向に移動不能保持し、その一方のカバー体の前端に、下面から前端上面に向けて傾斜する傾斜端縁を形成し、他方のカバー体の前端に、前記傾斜端縁と同方向に傾斜する傾斜受縁を形成して、前記傾斜端縁を形成したカバー体を他方のカバー体に乗上げ可能に設けたことを特徴とする床用目地カバー装置。
【発明の詳細な説明】
【０００１】
【発明の属する技術分野】
本発明は、隣接する建造物間の目地を覆う床用目地カバー装置に関する。
【０００２】
【従来の技術】
緩衝機能を備えた免震装置によって下部が支持された建物にあっては、地震時における水平方向の揺れが大きくなる傾向がある。このような免震構造の建物の周囲には、隣接する人工地盤との間に、前記揺れを吸収し得る比較的広幅の目地が形成されており、かかる免震構造の建物の目地に好適に使用し得る目地カバー装置が、本願出願人によって、例えば特願平９ー１４３２４６号等として既に提案されている。
【０００３】
かかる目地カバー装置は、図７イに示すように、建物Ａの床ｆと、該床ｆに目地ｓを介して隣接する人工地盤Ｂとの間に差し渡されて前記目地ｓを覆うカバー体Ｃの一端を、前記床ｆの側縁に連結手段ａを介して揺動可能に連結し、該カバー体Ｃの他端を自由端として、該自由端にその下面から外端上面に向けて傾斜する傾斜端縁ｂを設けるとともに、該傾斜端縁ｂの上部からカバー体Ｃの上面ｄと略面一となるようにして端部カバー体ｃを人工地盤Ｂ側に向けて延出させる一方、前記人工地盤Ｂの側縁に、水平受縁ｅと、該水平受縁ｅの外端に前記傾斜端縁ｂと同方向に傾斜する傾斜受縁ｇとを備えた摺動受枠体ｈを配設し、該摺動受枠体ｈの水平受縁ｅ上に、前記カバー体Ｃの自由端を乗載するとともに、前記端部カバー体ｃの外端を人工地盤Ｂの上面ｉに乗載し、該端部カバー体ｃによってカバー体Ｃの傾斜端縁ｂと摺動受枠体ｈの傾斜受縁ｇ間に生じる作動空隙ｊの上方を遮蔽するように構成されている。
【０００４】
そして、地震時において、建物Ａと、隣接する人工地盤Ｂとが近接する方向に比較的小さく相対変位した場合には、カバー体Ｃの自由端が摺動受枠体ｈの水平受縁ｅ上を作動空隙ｊの範囲内で水平に摺動してその相対変位に追従し、さらに大きく相対変位すると、図７ロに示すように、カバー体Ｃは、一端の連結手段ａを支点として、自由端に形成された傾斜端縁ｂが摺動受枠体ｈの傾斜受縁ｇに沿ってずれ上がることにより、その相対変位から逃げることができるようになっている。
【０００５】
【発明が解決しようとする課題】
ところで、かかる構成の目地カバー装置にあっては、建物Ａと、隣接する人工地盤Ｂとが近接する方向に相対変位した場合に、カバー体Ｃの自由端が人工地盤Ｂに乗上げるものであるため、この自由端の乗上げ幅に相当するスペ−スを人工地盤Ｂ上に確保しておく必要があり、目地近傍に壁，階段等の立上がり部が形成されて前記スペ−スが確保できない場所には適用できないという問題点がある。
また、カバー体Ｃの自由端が乗上げるスペ−ス内に歩行者がいると、該歩行者を傷つける恐れがあるという問題点がある。
【０００６】
本発明は、かかる従来の問題点を解消し得る床用目地カバー装置の提供を目的とするものである。
【０００７】
【課題を解決するための手段】
本発明は、
目地を介して隣接する建造物の、その何れか一方の建造物の目地側傍に水平受面を設け、
他方の建造物に、前記水平受面より上位置で目地方向に所定間隔で並設され、その前端に係合縁を備えた複数の支持杆を突成し、
支承面を備え、かつその前端に前記係合縁と係合可能な連係縁を備えてなる可動支持体を、前記水平受面と支持杆とに支持させて目地幅方向に摺動可能に設けるとともに、
前端が前記可動支持体の支承面に摺動可能に乗載されて前記目地を覆う左右のカバー体を目地幅方向に移動不能保持し、その一方のカバー体の前端に、下面から前端上面に向けて傾斜する傾斜端縁を形成し、他方のカバー体の前端に、前記傾斜端縁と同方向に傾斜する傾斜受縁を形成して、前記傾斜端縁を形成したカバー体を他方のカバー体に乗上げ可能に設けたことを特徴とする床用目地カバー装置である。
【０００８】
かかる構成にあって、地震時に、隣接する建造物が近接する方向に相対変位すると、一方のカバー体の傾斜端縁が、他方のカバー体の傾斜受縁の案内作用を介してずれ上がり、一方のカバー体が他方のカバー体に乗上げることによって、その相対変位に追従する。これにより、建造物上にカバー体が乗上げることがないため、目地近傍に壁，階段等の立上がり部が形成される場所に適用することができる。
【０００９】
【発明の実施の形態】
以下に、本発明の第一の実施例を図１〜図４について説明する。
図面において、Ａは緩衝機能を備えた免震装置によって下部が支持された免震構造の建造物、Ｂは該建造物Ａの周囲に形成された人工地盤としての建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。また、建造物Ａ，Ｂには、目地ｓの近傍に壁，階段等の立上がり部１，１が形成されている。
【００１０】
前記建造物Ａの側端には、支持縁２が目地ｓ内に水平状に突成されており、該支持縁２上に受枠３が配設されている。該受枠３は、目地幅方向（目地ｓに直交する方向）に延在する比較的長い水平縁部３ａと、建造物Ａの側端に沿って立上がる垂直縁部３ｂとにより断面Ｌ形に形成されており、前記水平縁部３ａの上面を水平受面４としている。これにより、建造物Ａの目地側傍に水平受面４が設けられている。該水平受面４には、上面にテフロンコーティング等の滑性面を形成したパッキン５が被着されており、該パッキン５の滑性面によって、後述の可動支持体１７の摺動が容易となるようにしている。また、水平縁部３ａの後端近傍には、係止突縁６が上方突成されており、該係止突縁６と前記垂直縁部３ｂとの間に嵌挿間隙７が生じるようにしている。また、前記水平縁部３ａの前端には、その前端縁を上方に曲成したストッパー縁４’が設けられている。
【００１１】
一方、前記建造物Ｂの側端には、支持縁８が前記支持縁２の下位置に段違い状に突成されており、該支持縁８上に受枠９が配設されている。該受枠９は、目地幅方向に延在する短い水平縁部１０ａと、建造物Ｂの側端に沿って立上がる垂直縁部１０ｂとにより断面Ｌ形に形成されている。そして、該受枠９の垂直縁部１０ｂから複数の支持杆１１が夫々同一高さで目地ｓ内に水平状に突成されている。各支持杆１１は前記水平受面４より上位置で目地方向に所定間隔で並設されており、その後端が受枠９に固着された固定片１２によって夫々片持ち状に支持されている。また、各支持杆１１は、Ｌ形アングル杆からなり、その上面にテフロンコーティング等の滑性面を形成したパッキン１３が被着され、該パッキン１３の滑性面によって、後述の可動支持体１７の摺動が容易となるようにしている。
さらに、各支持杆１１の前端には係合縁１４が上方突成されている。また、各支持杆１１の後端近傍には、係止突縁１５が上方突成されており、該係止突縁１５と前記垂直縁部１０ｂとの間に嵌挿間隙１６が生じるようにしている。
【００１２】
１７は可動支持体であって、該可動支持体１７は、前記水平受面４に乗載されて目地幅方向に延在するように配設された複数の脚部板１８と、各脚部板１８の上部に固着された天板１９とからなり、該天板１９の上面を支承面２０としている。該支承面２０には、その上面にテフロンコーティング等の滑性面を形成したパッキン２１が被着されており、該パッキン２１の滑性面によって、後述のカバー体２５ａ，２５ｂの摺動が容易となるようにしている。また、各脚部板１８は、図２に示すように、前記各支持杆１１の略中間位置に対応させて所定間隔で並設されており、可動支持体１７と各支持杆１１との目地方向の相対変位を許容し得るようになっている。この可動支持体１７の前端には、天板１９の前端縁を下方に曲成することにより、前記各支持杆１１に支持され、かつ該支持杆１１の係合縁１４と係合可能な連係縁２２が設けられている。また、可動支持体１７の後端には、天板１９の後端縁を下方に曲成することにより、前記受枠３のストッパー縁４’に当接可能な突縁２３が設けられている。
【００１３】
そして、可動支持体１７は、各脚部板１８が受枠３の水平受面４に乗載され、かつ連係縁２２が各支持杆１１に乗載されることにより、水平受面４と支持杆１１とに支持されており、この状態で目地幅方向に摺動可能となっている。
【００１４】
前記可動支持体１７の支承面２０には、目地ｓを覆う左右のカバー体２５ａ，２５ｂの前端が夫々乗載されている。両カバー体２５ａ，２５ｂの後端には、該カバー体２５ａ，２５ｂを夫々水平に保持し得る所定長さの保持縁２６ａ，２６ｂが下方突成されており、一方のカバー体２５ａに設けられた保持縁２６ａの下端を前記受枠３の嵌挿間隙７に嵌挿し、他方のカバー体２５ｂに設けられた保持縁２６ｂの下端を前記受枠９の嵌挿間隙１６に嵌挿することによって、両カバー体２５ａ，２５ｂを目地幅方向に夫々移動不能保持するようにしている。
【００１５】
また、一方のカバー体２５ａの前端には、その下面から前端上面に向けて傾斜する傾斜端縁２７ａが形成が形成されており、他方のカバー体２５ｂの前端には、前記傾斜端縁２７ａと同方向に傾斜する傾斜受縁２７ｂが形成されている。これにより、建造物Ａ，Ｂが近接する方向に相対変位した場合に、カバー体２５ａの傾斜端縁２７ａが、他方のカバー体２５ｂの傾斜受縁２７ｂの案内作用を介してずれ上がるようになっている。
【００１６】
また、前記両カバー体２５ａ，２５ｂには、上方に開放する凹部２８ａ，２８ｂがその略全面に亘って夫々形成されており、該凹部２８ａ，２８ｂに、モルタル及びタイル等からなる舗装材２９を夫々充填するようにしている。
【００１７】
かかる構成からなる床用目地カバー装置にあって、両カバー体２５ａ，２５ｂは、常時は図１に示す定常位置で目地ｓを覆っている。そして、地震時において、建造物Ａ，Ｂが近接する方向に相対変位すると、まず、カバー体２５ａの傾斜端縁２７ａが、他方のカバー体２５ｂの傾斜受縁２７ｂの案内作用を介してずれ上がることとなる。ここで、カバー体２５ａは、嵌挿間隙７に嵌挿された保持縁２６ａによって目地幅方向に移動不能保持されているが、上方向には移動可能であるため、さらに大きく相対変位すると、図３に示すように、カバー体２５ａが他方のカバー体２５ｂ上に重なるようにして乗上げて、その相対変位に追従する。そして、この追従状態にあって、カバー体２５ａ，２５ｂの何れもが建造物Ａ，Ｂ上に乗上げることがないため、目地近傍に壁，階段等の立上がり部１，１が形成されている場所に適用し得るものとなっている。
【００１８】
この追従状態から、建造物Ａ，Ｂが定常位置に戻ると、これに伴なってカバー体２５ａ，２５ｂが引き戻され、図１に示す定常状態に復帰する。
【００１９】
一方、建造物Ａ，Ｂが離れる方向に相対変位すると、図４に示すように、各支持杆１１の前端の係合縁１４が、可動支持体１７の前端の連係縁２２に係合され、該可動支持体１７が水平受面４上を摺動して建造物Ｂ側に引出される。この時、両カバー体２５ａ，２５ｂは、その後端の保持縁２６ａ，２６ｂが嵌挿間隙７，１６に夫々嵌挿されていることにより、建造物Ａ，Ｂの変位に伴なって離間するが、この離間部分に可動支持体１７が上記のように引出されることにより、該可動支持体１７の天板１９によって目地ｓを覆うことができる。尚、水平受面４の前方に配設されたストッパー縁４’は、可動支持体１７が必要以上に引出された場合に後端の突縁２３に当接し、該可動支持体１７の水平受面４からの脱落を防止し得るようになっている。
【００２０】
また、建造物Ａ，Ｂが前後方向（目地ｓに沿う方向）に相対変位した場合には、可動支持体１７の連係縁２２が各支持杆１１上を前後方向に摺動し、かつ、可動支持体１７の支承面２０に乗載されたカバー体２５ｂの前端が、可動支持体１７の前後移動に伴なって支承面２０上を前後方向に摺動して、その相対変位に追従する。
【００２１】
図５，図６は、カバー体２５ａを目地幅方向に移動不能保持するための他の構成を備えた床用目地カバー装置の第二の実施例を示すものであって、上記第一実施例と同一構成部分には、同一符合を付してその詳細な説明を省略する。
【００２２】
この実施例にあって、カバー体２５ａの後端は、受枠３の垂直縁部３ｂにヒンジ３０を介して枢結されている。これにより、カバー体２５ａは目地幅方向に移動不能保持されており、その前端が上方に回動可能となっている。
【００２３】
かかる構成にあって、建造物Ａ，Ｂが近接する方向に相対変位すると、まず、カバー体２５ａの傾斜端縁２７ａが、他方のカバー体２５ｂの傾斜受縁２７ｂの案内作用を介してずれ上がり、さらに大きく相対変位すると、図６に示すように、カバー体２５ａが他方のカバー体２５ｂの傾斜受縁２７ｂに乗上げて上方に回動し、その相対変位に追従するようになっている。
【００２４】
尚、前記両実施例では、建造物Ａを、免震装置によって下部が支持された免震構造の建造物とし、建造物Ｂを、人工地盤としているが、この配置関係を逆にしてもよい。また、傾斜端縁２７ａを備えたカバー体２５ａと、傾斜受縁２７ｂを備えたカバー体２５ｂの配置関係を逆にすることも可能である。
【００２５】
【発明の効果】
本発明は、上述のように、一方の建造物Ａの目地側傍に設けた水平受面４と、他方の建造物Ｂに突成した複数の支持杆１１とによって、可動支持体１７を目地幅方向に摺動可能に支持するとともに、目地幅方向に移動不能保持され、かつ、前端が前記可動支持体１７の支承面２０に摺動可能に乗載されて目地ｓを覆う左右のカバー体２５ａ，２５ｂの、その一方のカバー体２５ａの前端に、下面から前端上面に向けて傾斜する傾斜端縁２７ａを形成し、他方のカバー体２５ｂの前端に、前記傾斜端縁２７ａと同方向に傾斜する傾斜受縁２７ｂを形成して、一方のカバー体２５ａを他方のカバー体２５ｂに乗上げ可能に設けたものであるから、隣接する建造物Ａ，Ｂが近接する方向に相対変位すると、カバー体２５ａの傾斜端縁２７ａが、他方のカバー体２５ｂの傾斜受縁２７ｂの案内作用を介してずれ上がり、カバー体２５ａが他方のカバー体２５ｂに乗上げることによって、目地ｓ内においてその相対変位に追従させることができる。これにより、建造物Ａ，Ｂ上にカバー体２５ａ，２５ｂの何れも乗上げることがないため、目地近傍に壁，階段等の立上がり部１，１が形成されている場所に適用することができるとともに、近隣にいる歩行者等を傷つけることがなく、その安全性を向上し得る等の優れた効果がある。
【図面の簡単な説明】
【図１】本発明に係る床用目地カバー装置の第一実施例の施工状態を示す縦断側面図である。
【図２】カバー体を取り外した状態の第一実施例の平面図である。
【図３】カバー体の作用説明図である。
【図４】カバー体の他の作用説明図である。
【図５】第二実施例の施工状態を示す縦断側面図である。
【図６】第二実施例におけるカバー体の作用説明図である。
【図７】従来構成の概略側断面図である。
【符号の説明】
Ａ  建造物
Ｂ  建造物
ｓ  目地
４  水平受面
１１  支持杆
１４  係合縁
１７  可動支持体
２０  支承面
２２  連係縁
２５ａ  カバー体
２５ｂ  カバー体
２７ａ  傾斜端縁
２７ｂ  傾斜受縁
【図１】
0003942731.tif 000002
【図２】
0003942731.tif 000003
【図３】
0003942731.tif 000004
【図４】
0003942731.tif 000005
【図５】
0003942731.tif 000006
【図６】
0003942731.tif 000007
【図７】
0003942731.tif 000008